(57)【要約】【課題】軟質塩化ビニールシートなどの可撓性が有りかつ重量もある大型の可撓性シート状物を平板状で保管し、尚且つ積み重ねて集約的に保管することを可能とする。また、運搬するのに適したものとする。【解決手段】シート類を平らに積み重ねて収容するケース本体１と、ケース本体１の周縁に形成されて水平面と垂直を成す方向に突出する凸部２と、ケース本体１の周縁に形成されて凸部２と同軸上でかつ反対側に突出し他のケース本体の凸部２が嵌合する凹部３を先端に有する筒状脚部４と、ケース本体１を吊り上げ運搬装置で吊り下げるための吊下げ金具８あるいはケース本体１の底部を補強しかつフォークリフトの爪を挿入可能な空間１０を形成する補強部材９のいずれか一方あるいは双方を備え、上に積み重ねられる他のケース本体との間で凸部２と他のケース本体の筒状脚部４とが嵌合して水平方向にずれが起こらないように積み重ねられる構造とされている。【選択図】図４
2019104529.tif 000002
【特許請求の範囲】
【請求項１】
シート類を平らに積み重ねて収容するケース本体と、
前記ケース本体の周縁に形成されて水平面と垂直を成す方向に突出する凸部と、
前記ケース本体の周縁に形成されて前記凸部と同軸上でかつ反対側に突出し他のケース本体の前記凸部が嵌合する凹部を先端に有する筒状脚部と、
前記ケース本体を吊り上げ運搬装置で吊り下げるための吊下げ金具あるいは前記ケース本体の底部を補強しかつフォークリフトの爪を挿入可能な空間を形成する補強部材のいずれか一方あるいは双方を備え、
上に積み重ねられる他のケース本体との間で前記凸部と前記筒状脚部とが嵌合して水平方向にずれが起こらないように積み重ねられる構造である
ことを特徴とするシート類保管箱。
【請求項２】
前記筒状脚部は開口端側に前記凸部の嵌合の際のガイドを兼ねるテーパー状の拡径部を有することを特徴とする請求項１記載のシート類保管箱。
【請求項３】
前記筒状脚部と前記補強部材とは同じ高さであり、前記筒状脚部と前記補強部材とで前記ケース本体を支持することを特徴とする請求項１または２記載のシート類保管箱。
【請求項４】
さらに前記筒状脚部に対して着脱可能なキャスターを備え、
前記ケース本体を積み重ねるときには前記キャスターを取り外し、前記ケース本体を運搬するときには前記キャスターを前記筒状脚部に取り付けて台車化させることを特徴とする請求項１から３のいずれか１つに記載のシート類保管箱。
【請求項５】
前記ケース本体に着脱自在に取り付けられる取っ手を備えることを特徴とする請求項４記載のシート類保管箱。
【請求項６】
前記取っ手は前記ケース本体に設けられた取っ手挿入孔に軸部を差し込むことで着脱自在に前記ケース本体に取り付けられ、前記取っ手挿入孔は少なくとも隣合う２辺に設けられ、いずれか一方の辺に前記取っ手を装着して移動可能とすることを特徴とする請求項５記載のシート類保管箱。
【発明の詳細な説明】
【技術分野】
【０００１】
本発明は、例えば可撓性シート状物などのシート類の保管箱に関する。さらに詳述すると、本発明は、例えば軟質塩化ビニールシートなどの可撓性が有りかつ重量もある大型の可撓性シート状物を収納・運搬するのに適した保管箱に関するものである。
【背景技術】
【０００２】
従来から、大型紙などの軽量で薄いシート類の保管には引き出し方式の保管棚が用いられている（特許文献１参照）。この保管棚は、キャビネット（保管棚本体）の側面板の前後の支柱間に配置された適宜数の支持板に、複数の固定ローラとガイドレールを設けて、複数個の引き出しを出し入れ可能に支持したものである。即ち、保管棚本体の左右両側枠に、適数対の支持板を着脱自在に係着し、各支持板の前部に固定ローラを上下複数段に枢設し、かつ、各支持板の後部にガイドレールを上下複数段設け、引き出しの前部を左右一対の固定ローラに乗せるとともに、引き出しの両側後下部に枢設した走行ローラを、左右一対のガイドレールに乗せるものである。そして、引き出しはストッパに当接するまで引き出せるが、ストッパに当接することによりそれ以上の引き出しが阻止され、本体から脱落することがないように設けられている。
【先行技術文献】
【特許文献】
【０００３】
【特許文献１】特開平８−１９１７２３号公報
【発明の概要】
【発明が解決しようとする課題】
【０００４】
しかしながら、特許文献１記載の保管棚は、大型紙などの軽量で薄いシート類の保管用であって、尚且つ据え置かれて使用されるものである。したがって、重量が嵩む大型シート類の保管、並びに保管棚毎にシート類を作業現場などへ運搬するなどの用途には適さない。
【０００５】
例えば、ガスタービンの定期点検などにおいては、ガスタービンをタービンフロアで分解点検する際に、床面の養生のために厚さ２ｍｍ程度の難燃性の軟質塩化ビニールシートなどの大型の可撓性シート状物（以下、シート類と呼ぶ）の使用が検討されている。しかし、２ｍｍ程度の厚みの軟質塩化ビニールシートともなれば重量が嵩む。例えば、１０００×１８２０ｍｍ程度の軟質塩化ビニールシートの場合、１枚あたり６ｋｇ程度となる。また、４０００×１８２０ｍｍ程度のものでは、１枚あたり２４ｋｇ程度となる。しかも、ガスタービンの分解点検作業には、多くのシート例えば数十枚から数百枚のシートを要する。このため、ある程度まとまった枚数のシートを積み重ねて保管しようとすると、特許文献１記載の引き出し方式の保管棚では、その使用に耐えられない。例えば、１枚あたり６ｋｇ程度の比較的小型の軟質塩化ビニールシートを僅か５０枚程度、高さにして１０ｃｍ程度に積み重ねて保管する場合でも、３００ｋｇ程度の重量となるので、引き出しでの出し入れは困難であり、現実的ではない。他方、１つの引き出し毎に１枚の軟質塩化ビニールシートを保管しようとする場合には、膨大な数の引き出しが必要となり、保管棚が大型化して取り扱いに困難をきたすと共に倒壊などの危険性が増す。
【０００６】
また、据え置き使用を前提とするキャビネット方式のシート類保管箱では、シート類の片付けやばらし時などの、保管箱を移動させる必要があるときにも対応させることができない。  
【０００７】
他方、可撓性に富み柔らかく変形し易いシート類の場合には、立てて保管しようとすると、撓みかつ変形して形を保てないことから保管し難い問題を有する。このため、平坦な場所での保管、即ち平板状で保管したいという要望がある。さらに、平板状で保管する場合にも、積み重ねて集約的に保管することが望まれる。
【０００８】
本発明は、かかる要望に応えるもので、軟質塩化ビニールシートなどの可撓性が有りかつ重量もある大型の可撓性シート状物を平板状で保管し、尚且つ積み重ねて集約的に保管することを可能とするシート類保管箱を提供することを目的とする。また、本発明は、運搬するのに適したシート類保管箱を提供することを目的とする。
【課題を解決するための手段】
【０００９】
かかる目的を達成するためのシート類保管箱は、シート類を平らに積み重ねて収容するケース本体と、ケース本体の周縁に形成されて水平面と垂直を成す方向に突出する凸部と、ケース本体の周縁に形成されて凸部と同軸上でかつ反対側に突出し他のケース本体の凸部が嵌合する凹部を先端に有する筒状脚部と、ケース本体を吊り上げ運搬装置で吊り下げるための吊下げ金具あるいはケース本体の底部を補強しかつフォークリフトの爪を挿入可能な空間を形成する補強部材のいずれか一方あるいは双方を備え、上に積み重ねられる他のケース本体との間で凸部と筒状脚部とが嵌合して水平方向にずれが起こらないように積み重ねられる構造とされている。
【００１０】
また、シート類保管箱は、筒状脚部が開口端側に凸部の嵌合の際のガイドを兼ねるテーパー状の拡径部を有することが好ましい。
【００１１】
また、シート類保管箱の筒状脚部と補強部材とは同じ高さであり、筒状脚部と補強部材とでケース本体を支持することが好ましい。
【００１２】
さらに、シート類保管箱は、筒状脚部に対して着脱可能なキャスターを備え、ケース本体を積み重ねるときにはキャスターを取り外し、ケース本体を運搬するときにはキャスターを筒状脚部に取り付けて台車化させることが好ましい。
【００１３】
さらに、シート類保管箱は、ケース本体に着脱自在に取り付けられる取っ手を備えることが好ましい。
【００１４】
ここで、取っ手はケース本体に設けられた取っ手挿入孔に軸部を差し込むことで着脱自在にケース本体に取り付けられ、取っ手挿入孔は少なくとも隣合う２辺に設けられ、いずれか一方の辺に取っ手を装着して移動可能とすることが好ましい。
【発明の効果】
【００１５】
シート類保管箱は、上に積み重ねられる他のケース本体との間で凸部と筒状脚部とが嵌合して水平方向にずれが起こらないように積み重ねられる構造とされているので、軟質塩化ビニールシートなどの可撓性が有りかつ重量もある大型の可撓性シート状物を平板状で保管し、尚且つケース本体を積み重ねることで集約的に保管できる。
【００１６】
しかも、保管箱に必要なシート類を保管した状態のまま、吊り上げ運搬装置あるいはフォークリフトなどで所望の場所に移動させることができる。このため、作業現場でのシート類の片付けやばらし時などの、保管箱を移動させる必要があるときにも対応させることができる。
【００１７】
また、キャスターと取っ手とを取り付けたときには、保管箱が台車を兼用するので、使用場所まで人力で運搬できるし、運んだ先でキャスター並びに取っ手を取り外して保管箱として積み重ね保管することも可能である。
【図面の簡単な説明】
【００１８】
【図１】本発明にかかるシート類保管箱の第一の実施形態を示す平面図である。
【図２】同シート類保管箱の正面図である。
【図３】同シート類保管箱の底面図である。
【図４】同シート類保管箱を積み重ねた状態の説明図である。
【図５】同シート類保管箱のV-V線に沿う横断面図である。
【図６】同シート類保管箱の右側面図である。
【図７】本発明にかかるシート類保管箱の第二の実施形態にかかる図で、（Ａ）はキャスターと筒状脚部との連結直前の状態を示す部分正面図、（Ｂ）はキャスターと筒状脚部とを連結した状態を示す部分正面図である。
【図８】同シート類保管箱の正面図である。
【図９】同シート類保管箱の右側面図である。
【図１０】同シート類保管箱に用いる取っ手の正面図である。
【発明を実施するための形態】
【００１９】
以下、本発明の構成を図面に示す実施形態に基づいて詳細に説明する。
【００２０】
図１から図６に本発明にかかるシート類保管箱の一実施形態を示す。この実施形態にかかるシート類保管箱（以下、単に保管箱と呼ぶ）は、シート類３０を平らに積み重ねて収容するケース本体１と、水平面と垂直を成す方向に突出する凸部２と、該凸部２と同軸上でかつ反対側に突出し他の保管箱のケース本体１の凸部２と嵌合する凹部３を先端に有する筒状脚部４とを備え、上に積み重ねられる他の保管箱との間で凸部２または筒状脚部４の凹部３が嵌合して水平方向にずれが起こらないように積み重ねられる構造とされている。
【００２１】
ケース本体１は、例えばシート類３０を平らに積み重ねて収容するための底５ａと周側壁５ｂとを有する無蓋の箱形を成し、必要に応じて適宜補強が施されている。本実施形態においてケース本体１は、上方が開口されている無蓋の箱形を成しているが、これに特に限られず、開閉可能な蓋あるいは着脱可能な蓋を備えるようにしても良い。
【００２２】
ケース本体１の形状、特にシート類３０を収容する内側の空間の上から見た形状は、特定の形状に限られるものではないが、無駄な空間を無くしてコンパクト化するためにはシート類３０の平面形状と相似形とされることが好ましく、例えば、長方形のシート類３０を保管する本実施形態のケース本体１の場合には、長方形の箱形とすることである。ケース本体１の深さは、少なくとも保管予定枚数のシート類３０を積み重ねた高さよりも深く、シート類３０がはみ出さないように設けられている。本実施形態の場合、４隅に矩形状の切り欠きを有する長方形の１枚の平板の４辺の縁（切り欠きで区画される）を内側に折り曲げて箱形に成形された箱体５と、箱体５の縁を全周に渡って補強する山形鋼の枠（以下、周枠６と呼ぶ）とで構成され、溶接付によって一体化されたものである。尚、ケース本体１の天面とは、ケース本体１の一番高い面、即ち本実施形態では周枠６の水平面と平行な上面を指す。
【００２３】
ケース本体１の底５ａは、本実施形態の場合、シート類３０を平らに積み重ねて収容するため、平板でかつ軽量化や水抜き等のために孔７を多数空けているが、これに特に限られるものでは無く、無孔の平板であっても良い。また、ケース本体１の底５ａは、シート類３０の取り出しを容易にするために、シート類３０の密着を避けるための処置例えば低い筋や浅い凹凸などを設けたり、粗面としたりしても良い。
【００２４】
ケース本体１に備えられる凸部２と筒状脚部４とは、本実施形態の場合、上向きに凸部２が、下向きに筒状脚部４がそれぞれ設けられている。例えば、ケース本体１の天面即ち周枠６の上面に上方へ向けて突出する凸部２が設けられる一方、ケース本体１の箱体５の側面５ｂひいては周枠６の下面に下方へ向けて開口し突出する筒状脚部４が設けられている。本実施形態の場合、凸部２と筒状脚部４とは、ケース本体１の四隅に備えられている。勿論、筒状脚部４と凸部２とは、長方形のケース本体１の四隅に備えられる場合に限られないし、４対とも限られない。例えば、長方形のケース本体１の各辺の中央に筒状脚部４と凸部２とをそれぞれ備えることによって、長方形の各辺の中点を結ぶ菱形の各頂点に筒状脚部４と凸部２を配置するようにしても良いし、ケース本体１の各隅を挟んで２対で１組の筒状脚部４と凸部２とを４組備えるようにしても良い。
【００２５】
凸部２は、例えば図６に示すように、鋼製の円筒とドームとで構成され、周枠６の上面に、例えば溶接付などによって固着されている。先端のドームは、筒状脚部４の凹部３と嵌合される際の導入を容易にするためのガイドとして機能させるためのものである。本実施形態においては、凸部２と筒状脚部４との位置合わせを容易にするため、凸部２の先端がドーム型の曲面とされているがこれに特に限られるものではなく、平らな頂部や円錐形の頂部であっても良い。
【００２６】
他方、筒状脚部４は、他の保管箱の凸部２と嵌合して横ずれを防止するものであって、凸部２と嵌合する凹部３を有するものである。凹部３は、特定の形状や構造に限定されるものではないが、拡径部によって筒状脚部４の先端に構成されることが好ましい。拡径部によって構成される凹部（以下、単に拡径部とも呼ぶ）３は、例えば先端開口に向けて内径が拡張されるテーパー状を成し、他のケース本体１から上方へ向けて突出する凸部２を収容し且つ嵌合する際の遊びを許容し且つ芯合わせをするガイドを兼ねるものである。本実施形態の場合、拡径部３には、例えば異径間の配管に用いられる同心レデューサが用いられており、直管の先端に溶接付あるいはねじ込みなどで固定されている。拡径部３は、上述の同心レデューサに特に限られるものでは無く、例えば単純に円錐状に広がる円錐台形の筒状物でも良い。いずれにしても、先端開口に向けて内径が拡張されるテーパー状の拡径部３の場合、凸部２の先端のドーム部分が拡径部３の円錐状の内側の斜面に沿ってあるいは沿わずに拡径部内の奥に相対的に進入し、直管との境界部分に突き当たってほぼ同心状に位置合わせされて凸部２の上に載せられる。尚、拡径部３は、場合によっては段階的に穴径を広げた段付きパイプであっても良い。
【００２７】
また、図示していないが、筒状脚部４は、拡径部を有さない単なる直管でも良い。この場合にも、凹部３として機能する管の先端部分の開口に対して、凸部２側の頂部に尖塔形の斜面あるいは砲弾型の球面などを設けてガイドとすることにより、積み重ね作業を容易に進めることができる。さらには、凸部２と筒状脚部４とは、円形の凹凸の組み合わせで構成されているが、これに特に限られず角断面の筒と孔との組み合わせ、あるいは楕円形などの非円形の凹凸の組み合わせなどでも良い。
【００２８】
筒状脚部４は、本実施形態の場合、ケース本体１の四隅において下方に向けてケース本体１の底５ａよりも突出し、床面等に載置した際にケース本体１を浮かせて支持する脚部としても機能するものとして設けられている。ここで、筒状脚部４は、ケース本体１を直接に受け支える必要はない。つまり、本実施形態においては筒状脚部４はケース本体１を支持する脚部を兼ねているが、これに特に限られるものではなく、凸部２と嵌合して横ずれを防止する凹部としてのみ機能するようにしても良い。例えば、筒状脚部４は、ケース本体１の底５ａよりも下に突出させずに、あるいはケース本体１の底５ａよりも下に突出していても補強部材９よりも下に突出させずに、床面等から浮上するものとして構成しても良い。この場合には、ケース本体１の天面に設けられる凸部２の高さを上に積み重ねる他の保管箱のケース本体１の筒状脚部４に到達して嵌合し得る長さに配慮する必要がある。また、図示していないが、凸部２と筒状脚部４との関係は逆でも良く、例えば周枠６の上面に上向きに開口する筒状脚部４を、周枠６の下面（床面あるいは他の保管箱に対向する面）に下向きに突出する凸部２を、それぞれ同軸上に配置しても良い。いずれにしても、凸部２と筒状脚部４とを嵌合させることで図４に示すように横ずれを起こすこと無く段重ねして保管場所をコンパクトにできる。
【００２９】
また、本実施形態のケース本体１の底部には補強が施されている。例えば、図２及び図３に示すように、ケース本体１の底の四隅に筒状脚部４を囲うように平面視Ｌ形の補強部材９が備えられ、ケース本体１の長辺の中点から等距離・等間隔に配置されている補強部材９と補強部材９との間にフォークリフトの爪（フォーク）を挿入する空間１０が形成されている。補強部材９は箱体５の底５ａに溶接付されると共にケース本体１の箱体５の側面５ｂに溶接付されている吊り金具８の底面とも溶接付されて、箱体５並び吊り金具８と一体化され箱体５を直接受け支えるように設けられている。この補強部材９は、筒状脚部４と同じ高さとなるように、ケース本体１の底５ａからの突出高さが設定されていることが好ましい。この場合には、ケース本体１は、４本の筒状脚部４と４箇所の補強部材９とで支持されるので、多点支持となると共に支持点間距離が短くなって箱体・ケース本体１の撓みがさらに抑制される。勿論、補強部材９は、筒状脚部４よりも短い長さ（ケース本体１の底からの高さが低いもの）として、接地させずに浮上しているものとしても良い。尚、本実施形態の場合、補強部材９はケース本体１の四隅に配置されているが、これに特に限られるものではなく、必要に応じて適宜位置に施されても良い。例えば、長方形のケース本体１を短辺方向に横切る直線状の溝形鋼を配置してケース本体１の底５ａを補強すると同時にフォークリフトの爪を挿入する空間１０を形成するようにしても良い。
【００３０】
また、ケース本体１と筒状脚部４との間にも補強板１１が施されている。この補強板１１はケース本体１の直交する２方向、即ち長辺方向と短辺方向とにそれぞれ配置されており、筒状脚部４がケース本体１に対して傾斜しないように補強されている。補強板１１は、周枠６と筒状脚部４とにそれぞれ溶接付で固着されている。
【００３１】
さらに、ケース本体１には、天井クレームやジブクレーンなどの吊上げ運搬手段（図示省略）によって持ち上げられるようにするための吊り金具８が備えられている。この吊り金具８は、例えば図５や図１などに示すように、ケース本体１の箱体５の外側面５ｂと底５ａの補強部材９とに溶接付されて固定されたプレートであり、ケース本体１の周枠６から僅かに側方・外に突出するように配置されている。また、吊り金具８には、吊上げ運搬手段のワイヤなどを掛けるための部位、例えば孔１３や切り欠きなどが備えられている。本実施形態の場合、吊り金具８はケース本体１の対向する２辺例えば長辺の中点から等距離・等間隔に２箇所ずつ備えられ、吊り上げられるときにバランスを崩さないように配慮されている。
【００３２】
以上のように構成されたシート類保管箱によれば、シート類３０はケース本体１の箱体５内に上から装入され、積み重ねられて平らに収容される。保管箱は、それ単体でも床等の上に置いて屋内あるいは屋外で保管に供されるが、２段以上積み重ねられることによってさらに集約的な保管を実現することができる。例えば、図４に示すように、所望枚数のシート類３０が積み重ねられて収納されたケース本体１を何段にも積み重ねて保管するようにしても良い。
【００３３】
保管箱の積み上げは、例えば天井クレームなどの吊上げ運搬手段あるいはフォークリフトなどで持ち上げ、所望の保管位置に運搬し、凸部２と筒状脚部４の凹部３とを嵌合させながら積み重ねることで行われる。本実施形態の場合には、下に置かれた保管箱のケース本体１から上方に突出する凸部２に、上から積み重ねる他のケース本体１の下に向けて突出する筒状脚部４を位置合わせして嵌合させながら積み重ねる。積み重ね後は、上下の保管箱は凸部２と筒状脚部４との嵌合で水平方向に係合されるので、地震時の横揺れやある程度の縦揺れに対しても互いにずれたり嵌合が外れることがなく、保管箱の崩れ落ちを防ぐことができる。
【００３４】
他方、シート類３０の使用時には、積み上げた保管箱をばらして、箱内に収容するシート類３０を必要に応じて取り出す。例えば、積み上げた保管箱を、上の段から吊上げ運搬手段あるいはフォークリフトなどで持ち上げて凸部２と筒状脚部４の嵌合を解除してから水平移動させ、その後目的の現場あるいは他の保管場所まで運搬する。
【００３５】
図７〜図１０に本発明にかかるシート類保管箱の他の実施形態を示す。この実施形態にかかる保管箱は、必要に応じてケース兼台車に変化させることを可能としたものである。尚、以下の説明においては、保管箱本体の基本的構造は同じであるので詳細な説明を省略する。
【００３６】
本実施形態の保管箱は、上述の実施形態の保管箱に対して、キャスター１７並びに必要あれば取っ手２２を着脱可能に装着可能としたものであり、保管箱を積み重ねるときにはキャスター１７と取っ手２２とを取り外して下の保管箱の凸部２と上の保管箱の筒状脚部４とを嵌合可能とし、保管箱を運搬するときにはキャスター１７を筒状脚部４に取り付けると共に取っ手２２をケース本体１に取り付けて台車化させるようにしたものである。
【００３７】
本実施形態の保管箱において、凸部２はケース本体１の天面即ち周枠６の上面に上方へ向けて突出する設けられる一方、筒状脚部４はケース本体１の箱体５の側面５ｂ即ち周枠６の下面（床面あるいは他の保管箱に対向する面）に下方へ向けて突出する設けられている。ここで、筒状脚部４は、ケース本体１の任意の位置例えば四隅においてケース本体１の底よりも下方に向けて突出し、床面等に載置した際にケース本体１を浮かせて支持する脚部を兼ねているが、これに特に限られるものではない。筒状脚部４は、キャスター１７を取り付けた際に車輪がケース本体１を浮上させて支持しうる長さであれば、ケース本体１の底５ａよりも下に突出させずに、あるいはケース本体１の底５ａよりも下に突出していても補強部材９よりも下に突出させずに、床面等から浮上する構造としても良い。この場合には、ケース本体１の天面に設けられる凸部２の高さを上に積み重ねる他のケース本体１の筒状脚部４に到達して嵌合し得る長さに配慮する必要があることは言うまでもない。
【００３８】
また、筒状脚部４は、本実施形態の場合、図７に示すように、他の保管箱のケース本体１の凸部２を収容する凹部（本実施形態の場合には拡径部）３の奥側に、キャスター１７の支持軸１８を収容して保持するようにしている。即ち、筒状脚部４の直筒部分４ａにまでキャスター１７の支持軸１８を差し込み可能とし、キャスター１７をがたつき無く保持し得るように設けられている。直筒部分４ａはキャスターの支持軸を脱着可能に挿入させると共にがたつき無く保持するために、好ましくは隙間ばめ程度の嵌め合い公差が得られる内径の直管とされている。そして、着脱自在な連結構造を構成するために、直筒部分４ａの任意の位置に連結具２０を挿通させる貫通孔１６が設けられている。本実施形態の場合、直筒部分４ａの任意の位置に上下に適宜間隔をあけて２組みの連通孔１６が穿孔されている。連通孔１６は連結具が直筒部分４ａを完全に貫通するように円周方向に１８０°間隔で空けられている。尚、全体が直管の筒状脚部４を採用する場合には、直管の先端側が凸部２を収容する凹部として用いられる。
【００３９】
他方、キャスター１７は、筒状脚部４の直筒部分４ａに簡単に着脱できるように取り付けるための手段、例えばキャスター軸（センターピン）と同軸上の支持軸１８を備えている。この支持軸１８は、例えば平付けプレートタイプのキャスターの台座（取付座）２１にキャスター軸と同軸上に筒状脚部４の直筒部分４ａに装入可能な支持軸１８としてのパイプを溶接付などで固着し、台座２１を筒状脚部４の拡径部３の開口端に当接させると共に支持軸１８を筒状脚部４の直筒部分４ａに差し込んでから連結具２０で直筒部分４ａに締結する取付構造とされている。本実施形態の場合、軽量化のために支持軸１８はパイプとされているが、これに特に限られるものでは無く、場合によっては中実の軸であっても良い。支持軸１８には、筒状脚部４の直筒部分４ａに挿入された状態において直筒部分４ａに開けられた貫通孔１６と対応する位置に、連結ボルトあるいは連結ピンなどの連結具２０を貫通させる貫通孔１９が設けられている。即ち、キャスター１７には筒状脚部４に差し込まれる支持軸１８が備えられ、支持軸１８と筒状脚部４には嵌合状態において互いに重なる貫通孔１６，１９が軸直交方向にそれぞれ形成され、これら貫通孔１６，１９を貫通して筒状脚部４と支持軸１８とを軸方向に連結する連結具２０で着脱自在に締結されている。尚、支持軸と直筒部分４ａとは、円形の支持軸１８と直筒部分４ａとの組み合わせで構成されているが、これに特に限られず角軸と角筒との組み合わせ、あるいは楕円形などの非円形の軸と筒との組み合わせなどでも良い。
【００４０】
また、ケース本体１と筒状脚部４との間には、筒状脚部４がケース本体１に対して傾斜しないように補強する補強板１１が長辺方向と短辺方向とにそれぞれ施されているが、そのうちの一方の補強板例えば短辺側の補強板１１には、筒状脚部４を貫通する連結具２０の先端例えば連結ピンの先端あるいは締結ボルトの先端並びにナットを受け入れる切り欠き１２が設けられ、連結具２０が筒状脚部４を完全に貫通して筒状脚部４によって両端支持される構造となるように設けられている（図６、図９参照）。
【００４１】
また、キャスターを筒状脚部４に簡単に着脱できるように取り付けるための手段としては、上述の嵌合状態にある支持軸と筒状脚部４とを貫通する連結具２０に限られず、場合によってはねじ込みキャスターを用いても良い。この場合、ねじは拡径部・同心レデューサを通過して直筒部分４ａに形成された雌ねじ（図示省略）に螺合されるようにして締結される。さらには、連結具２０としては、上述の締結ボルトに特に限られず、差し込むだけで締結が完了する連結ピンや割ピンなどであっても良い。また、軸方向に圧縮することで径方向に膨張する環状エラストマー部材を支持軸の周りに備え、該環状エラストマー部材をレバー操作などで軸方向に変位させて筒部内周面に密着させて固定させるワンタッチ式の締結具でも良い。
【００４２】
さらに、キャスターとケース本体１とを着脱自在に連結する構造は、上述の締結ボルトや連結ピンなどの連結具２０によるものに限られず、例えばフランジ継手や楔連結構造などのさまざまな連結構造が実施可能である。例えば、図示していないが、筒状脚部４の最下端となる拡径部３の開口部分に筒状脚部４と直交する水平方向に張り出すフランジを備える一方、キャスター側にもキャスター軸と直交する水平方向に張り出すフランジ（台座）と筒状脚部４の空洞部に挿入される支持軸１８とを設け、筒状脚部４の直筒部分４ａにキャスターの支持軸１８を挿入すると共にフランジ同士を重ねてボルト止めするようにしても良い。また、筒状脚部４の直筒部分４ａに挿入されるキャスター１７の支持軸１８をテーパー軸として、筒状脚部４の直筒部分４ａに打ち込みや軽圧入することにより固定するようにしても良い。この場合、キャスターのテーパー軸の根元部分にフランジを設けて、このフランジを叩き落とすことでテーパ軸を筒状脚部４の直筒部分４ａから容易に取り外せるようにしても良い。
【００４３】
また、保管箱には取っ手２２が装着可能とされている。例えば、本実施形態の場合、図１〜図３に示すように、取っ手２２の軸部２３を装着する孔１４とパイプ１５とがケース本体１の周枠６に設けられている。孔１４は、周枠６の隣合う２辺に設けられ、少なくともいずれか一方の辺に取っ手２２を装着することにより、手押し移動可能とされている。この場合には、どちらの辺からでも押せる（２方向に押せる）。また、取っ手２２を装着する孔１４は、ケース本体１の少なくとも一辺に開けられていれば良いが、場合によっては４辺の全てに設けるようにしても良い。また、周枠６には、各孔１４と同軸にパイプ１５が溶接付などでケース本体１の箱体５の側面５ｂに取り付けられており、取っ手２２の軸部２３が周枠６の孔１４を貫通して尚且つパイプ１５に挿入されることで支持されるように設けられている。尚、取っ手２２を着脱自在に装着可能とする取付構造は上述の孔１４とパイプ１５との組み合わせに限られない。例えば、パイプ１５は必ずしも備えられるものではなく、場合によって箱体５の上縁部の周枠６の孔１４だけで保持されたり、あるいは箱体５の底５ａの付近にも取っ手２２の軸部２３を貫通させる孔１４を有する周枠・ブラケットなどを設けて、取っ手２２の軸部２３を上下の２箇所の孔で支持することによって、軸部２３ひいては取っ手２２が傾かずにケース本体１に取り付けられようにしても良い。また、取っ手側に着脱するための機構を備えていても良い。例えば、ケース本体１の縁例えば周枠６を挟持する爪あるいは傾けることで周枠６を挟むコ形の係合部などを備えた着脱式ハンドルとしても良い。
【００４４】
尚、取っ手２２の形状等は特定の形状に限られるものでは無いが、図１０に示す取っ手２２の形状は台車の取っ手として一般的なものである。取っ手２２の形状・構造などについては特に図示のものに限られないが、軽い力で押せる形式のものが好まれるのは当然のことである。本実施形態の場合、門形を成している取っ手２２の両下端に、保管箱の周枠６の孔１４に装入される軸部２３を有し、該軸部２３を孔１４に挿入することで簡単に装着されるし、また取り外すこともできる。
【００４５】
以上にように構成されたシート類保管箱とキャスター並びに取っ手の組み合わせによれば、シート類３０の片付け、ばらし時などの、保管箱本体を移動させる必要があるときにはキャスター１７並びに必要に応じて取っ手２２がケース本体１に取り付けられて台車化されることにより、人力によっても容易に運搬できるようにされる。また、シート類３０を保管するときには、キャスター１７及び取っ手２２が保管箱・ケース本体１から取り外されて積み重ねられる。
【００４６】
即ち、シート類３０の使用時には、積み上げた保管箱をばらして、箱内に収容するシート類３０を必要に応じて取り出す。例えば、天井クレーンあるいはフォークリフトなどで上から１台ごと保管箱を持ち上げてから適当な場所に仮置きし、そこでキャスター１７を筒状脚部４に取り付けると共に取っ手２２をケース本体１に取り付けて台車化させる。例えば、厚み２ｍｍ、長さ１８２０ｍｍ、幅１０００ｍｍの軟質塩化ビニールを５０枚積み重ねて保管する保管箱の場合、鋼製保管箱が大凡１００ｋｇ程度の重量となっても、シート類３０の重量（大凡３００ｋｇ）と併せて総重量４００ｋｇ程度に抑えることができるので、キャスター１７と取っ手２２を取り付けて台車化すれば人力によっても運搬することが可能である。
【００４７】
他方、保管箱を積み重ねる（スタッキング）場合には、キャスター１７、取っ手２２は取り外される。そして、筒状脚部４の拡径部３に下の段の保管箱の凸部２を嵌合させることで積み上げられる。
【００４８】
なお、上述の形態は本発明の好適な形態の一例ではあるがこれに限定されるものではなく本発明の要旨を逸脱しない範囲において種々変形実施可能である。例えば、本実施形態では、床面の養生に用いられる軟質塩化ビニールシートの例を挙げて説明したが、これに特に限られない。他の用途例えばにも使用される可撓性のあるシート類３０の保管にも使用可能であることは言うまでもない。また、シート類３０の素材も軟質性の樹脂に限られず、例えば、薄手のベニヤのような撓み易い合板などの保管にも適している。
【００４９】
また、上述の実施形態では、凸部２と筒状脚部４とは別部材として形成され、箱体５から水平方向に張り出す周枠６にそれぞれ溶接付されているが、一部品として成形されたものを箱体５の側面５ｂに直接溶接付するようにしても良い。つまり、周枠６が無いケース本体１（箱体５のみ）の場合、凸部２と筒状脚部４とはケース本体１に直接取り付けられ、ケース本体１を支持する。このとき、筒状脚部４の上部、即ちケース本体１の天面（この実施形態の場合には、箱体６の上縁）よりも上の部分を凸部２とし、それより下の部分を筒状脚部４とする。
【００５０】
さらに、本実施形態にかかる保管箱はシート類の流通過程でのケースとしても利用できる。即ち、保管箱に販売単位の枚数のシートを収容した状態でパッケージして流通させることができる。
【符号の説明】
【００５１】
１  ケース本体
２  凸部
３  凹部（拡径部）
４  筒状脚部
４ａ  筒状脚部の直筒部分
５  箱体
５ａ  底
５ｂ  側面
６  周枠
８  吊り金具
９  補強部材
１０  フォークリフトの爪を挿入する空間
１４  取っ手の軸部を挿入する孔
１５  取っ手の軸部を支持するパイプ
１６  筒状脚部の直筒部分の貫通孔
１７  キャスター
１８  支持軸
１９  支持軸の貫通孔
２０  連結具
２２  取っ手
２３  取っ手の軸部
３０  シート類
【図１】
2019104529.tif 000003
【図２】
2019104529.tif 000004
【図３】
2019104529.tif 000005
【図４】
2019104529.tif 000006
【図５】
2019104529.tif 000007
【図６】
2019104529.tif 000008
【図７】
2019104529.tif 000009
【図８】
2019104529.tif 000010
【図９】
2019104529.tif 000011
【図１０】
2019104529.tif 000012